(57)【要約】【課題】膨大な視聴履歴や表示履歴の情報を分析することで、放送波受信装置の利用状況の実態を掴み、その実態をもとに、多数のユーザにとって最も効果的となるサービスおよびまたは付加価値データを提供することができる視聴履歴分析装置、視聴履歴分析方法、および視聴履歴分析システムを提供することを目的とする。【解決手段】放送波により送信される放送番組を受信する放送波受信装置のユーザが前記放送番組を視聴した履歴である視聴履歴を、前記放送波受信装置を個別に識別する識別番号とともに収集する収集部と、前記収集部が取集した前記識別番号と前記視聴履歴を取得して解析する解析部と、前記解析部の解析結果をもとにサービスを提供するサービス提供部と、を具備し、前記第１の視聴履歴の第１の視聴量を時間ごとに表示する、  視聴履歴分析装置である。【選択図】図１
2020005169.tif 000002
【特許請求の範囲】
【請求項１】
放送波により送信される放送番組を受信する放送波受信装置のユーザが前記放送番組を視聴した履歴である視聴履歴を、前記放送波受信装置を個別に識別する識別番号とともに収集する収集部と、
前記収集部が収集した前記識別番号と前記視聴履歴を解析する解析部と、
前記解析部の解析結果をもとにサービスを提供するサービス提供部と、
を具備し、
前記解析部は、前記収集部が収集した前記視聴履歴を解析して、抽出条件を満たす視聴履歴群を抽出し、
前記サービス提供部は、前記視聴履歴群の視聴量のうち、第１の条件を満たす第１の視聴履歴の第１の視聴量の時間ごとの遷移を表示する、
視聴履歴分析装置。
【請求項２】
前記第１の視聴量は、前記視聴履歴に対する前記第１の視聴履歴の割合である、請求項１に記載の視聴履歴分析装置。
【請求項３】
前記サービス提供部は、前記第１の視聴量の時間ごとの遷移の表示が選択されると前記第１の視聴量の時間ごとの遷移の表示に加え、前記第１の視聴履歴のうち、さらに第２の条件を満たす第２の視聴履歴の第２の視聴量の時間ごとの遷移を表示する、請求項１に記載の視聴履歴分析装置。
【請求項４】
前記第１の条件は、前記放送波を放送する放送波送信事業者、前記ユーザの属性、視聴量の種類のいずれかであり、前記第２の条件は、前記第１の条件以外の前記放送波を放送する放送波送信事業者、前記ユーザの属性、前記視聴量の種類のいずれかである、請求項３に記載の視聴履歴分析装置。
【請求項５】
前記収集部は、前記放送番組以外のコンテンツを前記ユーザが前記放送波受信装置に表示した履歴である表示履歴を、前記識別番号とともに収集し、
前記解析部は、前記収集部が収集した前記表示履歴から前記抽出条件を満たす表示履歴群を抽出し、
前記サービス提供部は、前記表示履歴群の表示量のうち、第３の条件を満たす第３の表示履歴の第３の表示量の時間ごとの遷移を、前記第１の視聴量に加えて表示する、請求項１に記載の視聴履歴分析装置。
【請求項６】
前記表示履歴は、前記ユーザが前記コンテンツを、ネットワークを介して前記放送波受信装置に表示した履歴あるいは外部入力Ｉ／Ｆを介して前記放送波受信装置に表示した履歴である、請求項５に記載の視聴履歴分析装置。
【請求項７】
前記サービス提供部は、前記視聴量あるいは前記表示量を前記時間ごとに表示する際に、前記放送波で放送される編成チャンネルの番組ごと放送開始から放送終了までの時間である番組枠の時間ごとに表示する、請求項５に記載の視聴履歴分析装置。
【請求項８】
前記サービス提供部は、選択された時間枠に応じて前記視聴量あるいは前記表示量を表示する、請求項７に記載の視聴履歴分析装置。
【請求項９】
放送波により送信される放送番組を受信する放送波受信装置のユーザが前記放送番組を視聴した履歴である視聴履歴を、前記放送波受信装置を個別に識別する識別番号とともに収集する収集部と、
前記収集部が収集した前記識別番号と前記視聴履歴を解析する解析部と、
前記解析部の解析結果をもとにサービスを提供するサービス提供部と、
を備える視聴履歴分析の表示方法において、
前記サービス提供部により表示される表示エリアに、前記視聴履歴の中から前記解析部が解析対象とする第１の視聴履歴を抽出するためのパラメータを指定するパラメータ設定エリアを表示し、
前記パラメータ設定エリアで設定した第１のパラメータに基づいて抽出された前記第１の視聴履歴を解析し可視化した結果を表示する結果表示エリアを表示し、
前記パラメータ設定エリアの前記第１のパラメータが第２のパラメータに再設定された場合、前記結果表示エリアの表示内容を、前記第２のパラメータに対応して切り替える、ことを特徴とする視聴履歴分析の表示方法。
【請求項１０】
前記パラメータ設定エリアのパラメータは、日付、基準となる放送局、前記放送波受信装置のユーザの属性の少なくともいずれかを含み、前記日付の指定により、前記結果表示エリアに表示される前記表示内容が前記日付に対応した内容となり、前記基準となる放送局の指定により、前記結果表示エリアに表示される前記表示内容が前記基準となる放送局の番組枠の時間に対応した内容となり、前記属性の指定により、前記結果表示エリアに表示される前記表示内容が前記属性に対応した内容となる、請求項９に記載の視聴履歴分析の表示方法。
【発明の詳細な説明】
【技術分野】
【０００１】
本実施形態は、放送番組の視聴における視聴履歴分析装置、視聴履歴分析方法および視聴履歴分析システムに関するものである。
【背景技術】
【０００２】
ビッグデータ解析が一般的に行われている昨今、個人の行動履歴を解析したり、その解析結果にもとづいてサービスを提供したりすることが盛んに行われている。例えば、インターネットを介してＷｅｂ上のサーバにアクセスしたユーザのアクセス履歴を収集して、ユーザ全体のアクセスの傾向を分析したり、また分析結果をもとにアクセスしてきたユーザ個々に対して広告宣伝を行ったりするサービスが存在している。
【先行技術文献】
【特許文献】
【０００３】
【特許文献１】特開２００１７−２８３５３号公報
【特許文献２】特開２００１７−１８８９３２号公報
【特許文献３】国際公開第１９９８／０２６６０８号
【発明の概要】
【発明が解決しようとする課題】
【０００４】
放送波を受信する放送波受信装置もまた、インターネット等のネットワークに接続可能な機種が増えている。このため、放送波受信装置とネットワークで接続されているクラウド上のサーバが、各放送波受信装置のユーザが視聴する番組の視聴履歴を収集し、収集した視聴履歴の分析結果を用いてサービスを行う場合がある。このサーバが行うサービスは、放送波受信装置のユーザ個々人に対して行うものが主である。
【０００５】
一方インターネット等のネットワークに接続可能な放送波受信装置が増えるに従い、サーバが収集できるユーザの視聴履歴の数が膨大なものになっている。このため、これら膨大な視聴履歴の情報を分析することで、放送波受信装置の多数のユーザの番組視聴に関する全体的な傾向を掴み、番組編成や番組宣伝に活用することが望まれるようになってきている。
【０００６】
さらに放送波受信装置が、ネットワークに接続する機能を搭載するようになり、ネットワークを介したサービスを受けることが可能となっている。このネットワークを介したサービスとは、例えばＶＯＤ（Video On Demand）サービスであり、動画配信サービスである。また放送波受信装置の表示画面の大画面化の進んでいるため、ユーザは例えばゲーム機を放送波受信装置に接続して、ゲーム機の出力映像を放送波受信装置の表示画面に表示させる場合もある。
【０００７】
このように放送波受信装置が高機能化するにともない、放送波受信装置の使い方が、放送番組の視聴や放送録画、録画した番組の再生だけではなく、ネットワークを用いた動画配信サービスの利用や外部に接続された機器の利用と、多種多様となっている。このため、放送波受信装置の利用状況の実態を調査するためには、放送される番組の視聴実態の調査だけでは不十分になってきている。
【０００８】
そこで本発明の実施形態は、膨大な視聴履歴や表示履歴の情報を分析することで、放送波受信装置の利用状況の実態を掴み、その実態をもとに、多数のユーザにとって最も効果的となるサービスおよびまたは付加価値データを提供することができる視聴履歴分析装置、視聴履歴分析方法、および視聴履歴分析システムを提供することを目的とする。
【課題を解決するための手段】
【０００９】
本実施形態の視聴履歴分析装置は、
放送波により送信される放送番組を受信する放送波受信装置のユーザが前記放送番組を視聴した履歴である視聴履歴を、前記放送波受信装置を個別に識別する識別番号とともに収集する収集部と、
前記収集部が収集した前記識別番号と前記視聴履歴を解析する解析部と、
前記解析部の解析結果をもとにサービスを提供するサービス提供部と、
を具備し、
前記解析部は、前記収集部が収集した前記視聴履歴を解析して、抽出条件を満たす視聴履歴群を抽出し、
前記サービス提供部は、前記視聴履歴群の視聴量のうち、第１の条件を満たす第１の視聴履歴の第１の視聴量の時間ごとの遷移を表示する、
視聴履歴分析装置である。
【図面の簡単な説明】
【００１０】
【図１】図１は、本実施形態に係る放送信号送信装置、サーバおよび放送信号受信装置からなるシステム全体の構成例を示した図である。
【図２】図２は、テレビジョン受信装置の構成例を概略的に示した図である。
【図３】図３は、サーバの構成例を概略的に示した図である。
【図４】図４は、解析部およびサービス提供部が、サーバ１２０の外にある場合のシステム全体の構成例を示した図である。
【図５Ａ】図５Ａは、解析部が、収集部が収集した膨大な視聴履歴を解析し抽出した視聴履歴群をイメージ化した図である。
【図５Ｂ】図５Ｂは、図５Ａに示す視聴履歴全体に対して、ある一定区間の時刻である区間Ｔに視聴履歴が存在しているテレビジョン受信装置の視聴履歴を、視聴履歴群とした例を示した図である。
【図５Ｃ】図５Ｃは、図５Ａに示す視聴履歴全体に対して、ある番組Ａの視聴履歴が存在しているテレビジョン受信装置１４０の視聴履歴を、視聴履歴群とした例を示した図である。
【図６Ａ】図６Ａは、基準とした編成チャンネルの番組枠の時間において、視聴履歴群および表示履歴群の両方を可視化した例を示した図である。
【図６Ｂ】図６Ｂは、基準とした編成チャンネルの番組枠の時間において、視聴履歴群および表示履歴群の両方を可視化した別の例を示した図である。
【図６Ｃ】図６Ｃは、番組表の例を示した図である。
【図６Ｄ】図６Ｄは、結果表示エリア６２０の横に基準局の番組の内容を表示した場合の表示例を示した図である。
【図７】図７は、基準局の番組枠の時間において、視聴履歴群を可視化した他の例を示した図である。
【図８】図８は、時間軸に対するライブ率の遷移の様子を可視化した例を示した図である。
【図９】図９は、時間軸に対するライブ率の遷移する様子を可視化した他の例を示した図である。
【図１０】図１０は、日単位のライブ率の遷移の様子を可視化した例を示した図である。
【図１１Ａ】図１１Ａは、選択された放送局の番組枠の時間において、視聴履歴を可視化した例を示した図である。
【図１１Ｂ】図１１Ｂは、図１１Ａの例に対して、選択された放送局の番組枠の時間において、視聴履歴を可視化した別の例を示した図である。
【図１１Ｃ】図１１Ｃは、選択された日付における各編成チャンネルの視聴履歴を可視化した例を示したである。
【図１１Ｄ】図１１Ｄは、図１１Ｃの例に対して、選択された放送局の番組枠の時間において、視聴履歴を可視化した別の例を示した図である。
【図１１Ｅ】図１１Ｅは、時間軸に対する視聴履歴の割合の遷移の様子を、全画面表示した場合の表示の例を示した図である。
【図１１Ｆ】図１１Ｆは、時間軸に対する視聴履歴の遷移の様子を、デモグラ別に表示した例を示した図である。
【図１１Ｇ】図１１Ｇは、視聴方法としてライブ率｜再生率、を選択した場合の、時間軸に対する視聴履歴の割合の遷移の様子を表示した例を示した図である。
【図１２】図１２は、番組ごとの視聴履歴の割合のランキングの例を示した図である。
【図１３】図１３は、検索した番組の放送回ごとの視聴量の遷移と、平均視聴量および残存率の表示の例を示した図である。
【発明を実施するための形態】
【００１１】
以下、本発明の実施の形態について図面を参照して説明する。
図１は、本実施形態に係る放送信号送信装置１００、サーバ１２０および放送信号受信装置１４０からなるシステム全体の構成例を示した図である。
１００は、放送番組を放送する放送信号送信装置（放送局とも呼ぶ）であり、放送番組サーバ１０１および第１の基本機能１０２を備える。
【００１２】
放送番組サーバ１０１は、放送局１００として放送する番組のデータ、番組の名称、放送日時、内容の説明等を予め保存しておくエリアである。
第１の基本機能１０２は、放送局１００の基本的な機能であり、放送する番組の映像信号や音声信号等を符号化（エンコードとも呼ぶ）して多重化し、放送信号として送出する機能を持つ。
【００１３】
１２０は、本実施形態の視聴履歴分析装置であり、クラウド上に存在し、表示器１６０に表示された放送番組をユーザが視聴した視聴履歴、あるいはコンテンツの内容をユーザが表示器１６０に表示した表示履歴を収集するサーバであり、識別管理部１２１、収集部１２２、解析部１２３およびサービス提供部１２４を備える。
【００１４】
コンテンツの内容を表示器１６０に表示するとは、例えば動画配信サービスによりネットワーク１８０を介して配信される動画コンテンツを表示器１６０に表示（配信動画表示と呼んでもよい）することであり、ＶＯＤ（Video On Demand）サービスによりネットワーク１８０を介して送られてくるオンデマンドの動画コンテンツを表示器１６０に表示（オンデマンド表示と呼んでもよい）することであり、放送信号受信装置１４０の外部入力Ｉ／Ｆ１８３に接続されたレコーダ１８５、ビデオカメラ１８６、ゲーム機１８７等の周辺機器が出力するコンテンツを表示器１６０に表示（外部入力表示と呼んでもよい）する等、放送番組以外のコンテンツを表示器１６０に表示することである。
【００１５】
表示機１６０に表示するコンテンツの供給元を、コンテンツ供給源と呼んでもよい。コンテンツ供給源は、例えば動画配信サービスであり、ＶＯＤサービスであり、周辺機器が接続される外部入力Ｉ／Ｆである。動画配信サービスとして、例えばYouTube（登録商標）が存在している。
【００１６】
サーバ１２０は、放送信号受信装置１４０が個別に持つ識別番号により個々の放送信号受信装置１４０を識別することができる。放送信号受信装置１４０が持つ識別番号は、例えば数字、アルファベット、記号のいずれの組み合わせから構成されてもよい。
識別管理部１２１は、放送信号受信装置１４０が持つ識別番号を、ネットワーク１８０を介して収集し管理する機能を持つ。識別管理部１２１は、例えば放送信号受信装置１４０の初期設定時に、放送信号受信装置１４０が持つ識別番号を収集してもよい。
【００１７】
収集部１２２は、表示器１６０に表示された放送番組をユーザが視聴した履歴である視聴履歴、あるいはコンテンツの内容をユーザが表示器１６０に表示した履歴である表示履歴を収集する機能を持つ。
解析部１２３は、収集部１２２で収集した視聴履歴あるいは表示履歴を解析して、所望の視聴履歴（視聴履歴群とも呼ぶ）あるいは所望の表示履歴（表示履歴群とも呼ぶ）を抽出する機能を持つ。
【００１８】
サービス提供部１２４は、解析部１２３が抽出した結果をもとにサービスを提供する機能を持つ。
サービス提供部１２４は、解析部１２３が抽出した結果をもとに例えば、放送信号受信装置１４０を使用するユーザにとって有益な情報を提供してもよい。あるいはサービス提供部１２４は、解析部１２３が抽出した結果をもとに例えば、放送信号受信装置１４０に対して番組を放送する側である放送局１００や番組制作会社、番組のスポンサー等にとって有益な情報を提供してもよい。
【００１９】
１４０は、放送信号送信装置１００が放送する番組を受信する放送信号受信装置であり、デジタル放送の受信機能（第２の基本機能１４１）、制御部１４２を含む。放送信号受信装置１４０は、例えばテレビジョン受信装置でもあってもよい、また放送波で送られてくる番組を録画する機能を備えたテレビジョン受信装置あるいはレコーダであってもよい。以降の説明においては、放送信号受信装置１４０をテレビジョン受信装置１４０として説明する。
【００２０】
第２の基本機能１４１は、テレビジョン受信装置１４０としての基本的な機能であり、放送局１００から送られてくる放送波を受信し、放送波に含まれる符号化された映像信号（映像ストリームとも呼ぶ）、符号化された音声信号（音声ストリームとも呼ぶ）、アプリケーションデータおよび伝送制御信号を分離し、映像信号および音声信号をデコードしたり、アプリケーションデータを受信したり、伝送制御信号を解析したりする機能を持つ。
【００２１】
制御部１４２は、テレビジョン受信装置１４０の全体を制御する機能を持つ。また制御部１４２は、録画機能である録画部１４３を持つ。また制御部１４２は、テレビジョン受信装置１４０に接続されている周辺機器、例えば表示器１６０、スピーカ１６１、テレビジョン受信装置１４０にバインドされているＨＤＤ（Hard Disk Drive）１６２、との接続やデータの送受信の管理も行う。
【００２２】
表示器１６０は、スピーカ１６１を内蔵しており、第２の基本機能１４１においてデコードされた映像信号を表示領域に表示したり、音声信号をスピーカ１６１から出力したりする。なお、表示器１６０に内蔵されているスピーカ１６１は、ＵＳＢ等のＩ／Ｆにより接続された外部のスピーカであってもよい。
【００２３】
またテレビジョン受信装置１４０は、レコーダ１８５、ビデオカメラ１８６、ゲーム機器１８７等の映像や音声を含むコンテンツを出力する周辺機器と接続するための外部入力Ｉ／Ｆ１８３を備える。
ユーザは、外部入力Ｉ／Ｆ１８３を介してテレビジョン受信装置１４０と接続されているレコーダ１８５を用いて、例えばＤＶＤ（登録商標）に記録されているコンテンツをテレビジョン受信装置１４０の表示器１６０に表示させて視聴することができる。またユーザは、外部入力Ｉ／Ｆ１８３を介してテレビジョン受信装置１４０と接続されているビデオカメラ１８６を用いて、例えばビデオカメラに録画されているコンテンツをテレビジョン受信装置１４０の表示器１６０に表示させて視聴することができる。またユーザは、外部入力Ｉ／Ｆ１８３を介してテレビジョン受信装置１４０と接続されているゲーム機１８７を用いて、ゲームコンテンツをテレビジョン受信装置１４０の表示器１６０に表示させて、ゲームコンテンツを操作することができる。
【００２４】
外部入力Ｉ／Ｆ１８３は、例えばＨＤＭＩ（登録商標）、あるいはＲＣＡ端子、あるいはＵＳＢ(Universal Serial bus)であってもよく、表示機１６０に表示されるコンテンツをテレビジョン受信装置１４０の外部から入力できるＩ／Ｆならいずれであってもよい。
【００２５】
このようにユーザは、放送波で送られてきた番組の視聴、あるいはその番組を録画した録画番組を再生するためにテレビジョン受信装置１４０を使用する以外に、ネットワーク１８０を介して受信される動画配信サービスによる動画コンテンツを表示器１６０に表示したり、あるいはネットワーク１８０を介して受信されるＶＯＤ（Video On Demand）の動画コンテンツを表示器１６０に表示したり、あるいは外部入力Ｉ／Ｆ１８３を介して接続された周辺機器が出力するコンテンツの内容を表示器１６０に表示したりするために、テレビジョン受信装置１４０を使用することも可能である。
【００２６】
これらの表示履歴は、テレビジョン受信装置１４０からサーバ１２０に送られる。
なお図１の例では、表示器１６０は、テレビジョン受信装置１４０と別体として記載しているが、テレビジョン受信装置１４０の１機能としてテレビジョン受信装置１４０と一体であってもよい。
【００２７】
図２は、テレビジョン受信装置１４０の構成例を概略的に示した図である。テレビジョン受信装置１４０は、放送波を受信する機能である第２の基本機能１４１、制御部１４２を含む。またテレビジョン受信装置１４０は、表示器１６０とも接続している。表示器１６０は、スピーカ１６１を内蔵していてもよい。
【００２８】
第２の基本機能１４１は、地上デジタルテレビジョン放送用の地デジチューナ２０１−１、地デジデマルチプレクサ２０２−１、地デジデスクランブラ２０３−１、映像および音声の２Ｋデコーダ２０４−１を持つ。同様に第２の基本機能１４１は、ＢＳデジタル放送用のＢＳチューナ２０１−２、ＢＳデマルチプレクサ２０２−２、ＢＳデスクランブラ２０３−２、映像および音声の２Ｋ用デコーダ２０４−２、４Ｋ用デコーダ２０４−３、８Ｋ用デコーダ２０４−４を持つ。同様に第２の基本機能１４１は、ＣＳデジタル放送用のＣＳチューナ２０１−３、ＣＳデマルチプレクサ２０２−３、ＣＳデスクランブラ２０３−３、映像および音声の２Ｋ用デコーダ２０４−５、４Ｋ用デコーダ２０４−６を持つ。
【００２９】
テレビジョン受信装置１４０が地上デジタルテレビジョン放送の放送信号を受信すると、地デジチューナ２０１−１は、放送波で送られてきたストリーム（放送信号）を復調する。復調されたストリーム（放送信号）は、地デジデマルチプレクサ２０２−１に入力される。地デジデマルチプレクサ２０２−１は、入力された多重化ストリームを映像ストリーム、音声ストリーム、字幕ストリーム、アプリケーションデータ、伝送制御信号に分離し、映像ストリームと音声ストリームを地デジデスクランブラ２０３−１に入力する。
【００３０】
地デジデスクランブラ２０３−１は、映像ストリームと音声ストリームをデスクランブルして、２Ｋデコーダ２０４−１に入力する。
映像ストリームおよび音声ストリームは２Ｋデコーダ２０４−１でデコードされる。
デコードされた映像データは、映像・オーディオ・字幕データ処理部２０６、表示信号出力部２０７を介して表示器１６０に出力される。またデコードされた音声データは、映像・オーディオ・字幕データ処理部２０６、オーディオ信号出力部２０８を介して表示器１６０に内蔵されているスピーカ１６１に出力される。
【００３１】
映像・オーディオ・字幕データ処理部２０６は、映像データに対して、輝度調整、色補正などを行うことができる、また音声データに対して、音質の調整、周波数特性の調整などを行うことができる。
表示信号出力部２０７は、ＧＵＩ２７０から送られてきたグラフィックデータと映像・オーディオ・字幕データ処理部から送られてきた映像データとを合わせて表示器１６０に表示する表示用データを作成するとともに、表示器１６０の表示能力に応じて、色度、解像度などを制御する。
【００３２】
オーディオ信号出力部２０８は、スピーカシステム（単なるステレオタイプ、５チャンネルシステムなど）に応じてオーディオ出力を変換することができる。
テレビジョン受信装置１４０がＢＳデジタル放送信号、ＣＳデジタル放送信号を受信した場合も、地上デジタルテレビジョン放送の放送信号を受信した場合と同様に、放送波で送られてきたストリーム（放送信号）をデマルチプレクサ処理やデスクランブル処理を行い、映像データを表示器１６０に出力したり音声データをスピーカ１６１に出力したりする。
【００３３】
図２のテレビジョン受信装置１４０の例は、地上デジタルテレビジョン放送用のチューナが地デジチューナ２０１−１の１つを内蔵している場合の例であるが、複数の地上デジタルテレビジョン放送用のチューナを内蔵していてもよい。同様にテレビジョン受信装置１４０は、複数のＢＳデジタル放送用のチューナ、複数のＣＳデジタル放送用のチューナを内蔵していてもよい。あるいはテレビジョン受信装置１４０は、地上デジタルテレビジョン放送用のチューナ、ＢＳデジタル放送用のチューナ、ＣＳデジタル放送用のチューナのいずれの種類の組み合わせを内蔵していてもよい。
【００３４】
制御部１４２は、テレビジョン受信装置１４０の全体を制御する。また制御部１４２は、視聴履歴あるいは表示履歴を取得し、取得した視聴履歴あるいは表示履歴を、ネットワーク１８０を介してサーバ１２０に送信する。制御部１４２は、外部とのＩ／Ｆとして通信ネットワーク１８０とのＩ／ＦであるネットワークＩ／Ｆ１８１、リモートコントローラ（リモコン）１９０とのＩ／ＦであるリモコンＩ／Ｆ１８２、周辺機器とのＩ／Ｆである外部入力Ｉ／Ｆ１８３を持つ。なおネットワークＩ／Ｆ１８１および外部入力Ｉ／Ｆ１８３は、複数存在していてもよい。
【００３５】
ここで視聴履歴とは、テレビジョン受信装置１４０が、複数あるチューナで受信した番組すべての履歴のことを示している。具体的には例えばテレビジョン受信装置１４０のユーザが、放送波を受信して表示器１６０に表示されている番組Ａを視聴しながら、同時に番組Ｂをテレビジョン受信装置１４０の録画機能である録画部１４３により録画している場合、制御部１４２は、番組Ａの視聴（ライブ視聴と呼んでもよい）の履歴であるライブ視聴履歴と、番組Ｂの録画（録画視聴と呼んでもよい）の履歴である録画視聴履歴の両方を取得することができる。録画視聴は、例えば録画機能の予約機能により予め録画する番組Ｂを予約することで、予約した番組Ｂを指定した時刻に録画部１４３に録画することも可能であり、表示器１６０に表示させずに録画だけが行われる場合もある。
【００３６】
さらに制御部１４２は、録画された番組Ｂをユーザが再生する場合も、番組Ｂの再生（再生視聴あるいは再生行動と呼んでもよい）の履歴である再生視聴履歴を取得することができる。
このようにテレビジョン受信装置１４０は、ライブ視聴、録画視聴、再生視聴の３種類の視聴の形態を、どのような組み合わせでも同時に行うことができ、またこれらの３種類の視聴の形態に対応した３種類の視聴履歴であるライブ視聴履歴、録画視聴履歴、再生視聴履歴を、どのような組み合わせでも同時に取得することができる。
【００３７】
また表示履歴とは、例えば動画配信サービスによりネットワーク１８０を介して配信される動画コンテンツを表示器１６０に表示（配信動画表示）した履歴（配信動画表示履歴と呼んでもよい）や、ＶＯＤサービスによりネットワーク１８０を介して送られてくるオンデマンドの動画コンテンツを表示器１６０に表示（オンデマンド表示）した履歴（オンデマンド表示履歴と呼んでもよい）や、放送信号受信装置１４０の外部入力Ｉ／Ｆ１８３に接続されたレコーダ１８５、ビデオカメラ１８６、ゲーム機１８７等の周辺機器が出力するコンテンツを表示器１６０に表示（外部入力表示）した履歴（外部入力表示履歴と呼んでもよい）のように、放送番組以外のコンテンツを表示器１６０に表示した履歴のことである。
【００３８】
このようにテレビジョン受信装置１４０は、配信動画表示、オンデマンド表示、外部入力表示の３種類の表示形態を、どのような組み合わせでも同時に行うことができ、またこれらの３種類の表示形態に対応した３種類の表示履歴である配信動画表示履歴、オンデマンド表示履歴、外部入力表示履歴のどのような組み合わせでも同時に取得することができる。
【００３９】
ライブ視聴履歴、録画視聴履歴、再生視聴履歴の３種類の視聴履歴は、例えば視聴履歴の種類、視聴した番組のチャンネル番号や番組名や放送局名、視聴を開始した時刻と視聴を終了した時刻との組み合わせの情報を含んでもよい。制御部１４２は、取得した視聴履歴を内部に持つ保存エリア（図示せず）に、ライブ視聴履歴、録画視聴履歴、再生視聴履歴の種類ごとに保存する。
【００４０】
また配信動画表示履歴、オンデマンド表示履歴、外部入力表示履歴の３種類の表示履歴は、表示履歴の種類、表示を開始した時刻と表示を終了した時刻の情報、表示するコンテンツの内容、コンテンツ供給源の情報を含んでもよい。
制御部１４２は、取得した視聴履歴あるいは表示履歴を、テレビジョン受信装置１４０が持つ識別番号を付与して、任意のタイミングにネットワーク１８０を介してサーバ１２０に送信する。
【００４１】
図３は、サーバ１２０の構成例を概略的に示した図である。
収集部１２２は、ネットワーク１８０を介してテレビジョン受信装置１４０から送られてくる視聴履歴あるいは表示履歴を収集して、テレビジョン受信装置１４０に付与されている識別番号ごとに内部に持つ保存エリア（図示せず）に保存するとともに、視聴履歴あるいは表示履歴の保存アドレスや付与されている識別番号等、受信した視聴履歴あるいは表示履歴の保存に関する情報を識別管理部１２１に送信する。
【００４２】
識別管理部１２１は、収集部１２２から送られてきた視聴履歴や表示履歴の保存に関する情報と識別番号とを保存して管理する。これにより識別管理部１２１は、テレビジョン受信装置１４０の識別番号ごとに視聴履歴あるいは表示履歴のデータを管理することができる。
【００４３】
解析部１２３は、収集部１２２に保存されている視聴履歴あるいは表示履歴の中から、例えば指定した識別番号の、指定した期間（時間）の視聴履歴あるいは表示履歴に対して解析を行い、所望の視聴履歴（視聴履歴群）あるいは所望の表示履歴（表示履歴群）の抽出を行う。抽出の結果はサービス提供部１２４に送られ、サービス提供部１２４は送られてきた抽出結果を用いて、例えば抽出結果を可視化するサービスの提供を行う。
【００４４】
なお図１および図３に示したサービス提供部１２４は、提供するサービスの内容を表示できる表示部（図示しない）を備えてもよい。あるいはまたサービス提供部１２４は、接続された外部の表示装置（図示しない）に、提供するサービスの内容を表示できるようにしてもよい。あるいはサービス提供部１２４は、表示可能なデータを作成し、作成したデータを特定の宛先に提供してもよい。この場合、データを提供されたユーザは、任意のタイミングで該当データを閲覧することができる。
【００４５】
このようにサービス提供部１２４がサービスを提供し表示するとは、サービス提供部１２４が備える表示部にサービス内容を表示したり、サービス提供部１２４に接続された外部の表示装置にサービス内容を表示したり、サービス提供部１２４が、表示可能なデータを作成し、作成したデータを特定の宛先に配信することを含む。
【００４６】
あるいはまた解析部１２３およびサービス提供部１２４は、サーバ１２０の外にあってもよい。
図４は、解析部１２３およびサービス提供部１２４が、サーバ１２０の外にある場合のシステム全体の構成例を示す図である。解析部１２３およびサービス提供部１２４は、例えばＰＣ（パーソナルコンピューター）１３０の中にあってもよい。あるいは解析部１２３およびサービス提供部１２４は、スマートフォンやタブレット等の携帯端末１３０の中にあってもよい。この場合ＰＣや携帯端末１３０は、ネットワーク１８０を介してサーバ１２０と接続され、サーバ１２０にアクセスすることが可能である。このためＰＣや携帯端末１３０は、収集部１２２に保存されている視聴履歴あるいは表示履歴の情報を任意の場所で取得することができる。またＰＣや携帯端末１３０の操作者は、解析部１２３による解析結果を任意の場所で受け取ることが可能である。またＰＣや携帯端末１３０の操作者は、解析部１２３の解析結果をもとに行うサービス提供部１２４の、サービスの提供や付加価値データの提供を、任意の場所で受け取ることが可能である。解析部１２３およびサービス提供部１２４を含む携帯端末１３０を、履歴分析端末と呼んでもよい。
【００４７】
サービス提供部１２４による可視化されたデータとは、例えば収集部１２２が収集した膨大な視聴履歴あるいは表示履歴の中から、解析部１２３が抽出した各テレビジョン受信装置１４０の視聴履歴の集合である視聴履歴群あるいは表示履歴群を、さらに種々のパラメータを用いて色々な観点でまとめ直すことで、無秩序に見えていた視聴履歴群あるいは表示履歴群に、ある傾向が存在することをグラフや表を用いてユーザが理解しやすい形にして提供したり表示したりすることである。
【００４８】
このような視聴履歴群あるいは表示履歴群の可視化のサービスは、例えば放送局１４０や番組制作会社、番組スポンサー等、テレビジョン受信装置１４０に対して番組を放送する側にとって有益な情報になりえる。
図５Ａは、解析部が、収集部１２２が収集した膨大な視聴履歴を解析し抽出した視聴履歴群をイメージ化した図である。
【００４９】
図５Ａの横軸は時間である。
図５Ａの縦軸はテレビジョン受信装置１４０が持つ識別番号である。
図５Ａの四角枠５０１から５１３は、識別番号ごとのテレビジョン受信装置１４０の視聴履歴の開始から終了までを表している。１つの識別番号に対して、時間軸方向に複数の四角枠があるのは、該当する識別番号のテレビジョン受信装置１４０による番組の視聴が途中で途切れたことにより、視聴履歴が複数個に分かれていることを示している。例えば識別番号６のテレビジョン受信装置１４０の視聴履歴である視聴履歴５０６は、視聴履歴５０６−（１）と視聴履歴５０６−（２）の２つの視聴履歴から構成されていることを示している。
【００５０】
このように表現することで、テレビジョン受信装置１４０の識別番号ごとに積みあげた四角枠（視聴履歴）の面積全体が、収集部１２２が収集した視聴履歴の全体として表現することができる。
図５Ａに示す視聴履歴の全体に対して、解析部１２３は、ある一定の条件を満たす視聴履歴を抽出することで、可視化対象の視聴履歴である視聴履歴群を決定することができる。
【００５１】
例えば解析部１２３は、一定区間の時間にユーザにより視聴された視聴履歴を、解析して抽出してもよい。
図５Ｂは、図５Ａに示す視聴履歴全体に対して、ある一定区間Ｔの時間内に視聴履歴が存在しているテレビジョン受信装置１４０の視聴履歴を、視聴履歴群とした例を示した図である。なお図５Ｂの視聴履歴５０１−Ｂから５１３−Ｂは、図５Ａの視聴履歴５０１から５１３と同一である。
【００５２】
四角枠５０１−Ｂ、５０２−Ｂ、５０３−Ｂ、５０５−Ｂ（５０５−Ｂ（１）と５０５−Ｂ（２））、５０７−Ｂ、５０８−Ｂ、５１０−Ｂ、５１３−Ｂ（５１３−Ｂ（１）と５１３−Ｂ（２））が、ある一定区間Ｔの時間内に視聴履歴が連続して存在しているテレビジョン受信装置１４０の視聴履歴である。この該当する四角枠５０１−Ｂ、５０２−Ｂ、５０３−Ｂ、５０５−Ｂ（５０５−Ｂ（１）と５０５−Ｂ（２））、５０７−Ｂ、５０８−Ｂ、５１０−Ｂ、５１３−Ｂ（５１３−Ｂ（１）と５１３−Ｂ（２））を合わせた四角枠（視聴履歴）の面積全体を、視聴履歴群としてもよい。
【００５３】
あるいは、該当する四角枠５０１−Ｂ、５０２−Ｂ、５０３−Ｂ、５０５−Ｂ、５０７−Ｂ、５０８−Ｂ、５１０−Ｂ、５１３−Ｂのうち、区間Ｔに存在する（５５０に囲まれた）部分だけの合わせた面積全体を、視聴履歴群としてもよい。
あるいは、区間Ｔに視聴履歴が存在しているものの中から、区間Ｔを含んで連続した視聴履歴だけを視聴履歴群としてもよい。具体的には、５０１−Ｂ、５０２−Ｂ、５０３−Ｂ、５０５−Ｂ（１）、５０７−Ｂ、５０８−Ｂ、５１０−Ｂ、５１３−Ｂ（２）を合わせた四角枠（視聴履歴）の面積全体を、視聴履歴群としてもよい。
【００５４】
なお、図５Ｂの例の区間Ｔは、連続した時刻の区間である必要はなく、連続した時刻の複数区間からなり、その複数区間同士は非連続であってもよい。
また例えばある番組Ａを視聴した視聴履歴が存在しているテレビジョン受信装置１４０の視聴履歴を、視聴履歴群としてもよい。
【００５５】
図５Ｃは、図５Ａに示す視聴履歴全体に対して、ある番組Ａの視聴履歴が存在しているテレビジョン受信装置１４０の視聴履歴を、視聴履歴群とした例を示した図である。なお図５Ｃの視聴履歴５０１−Ｃから５１３−Ｃは、図５Ａの視聴履歴５０１から５１３と同一である。
【００５６】
四角枠５０４−Ｃ（１）、５０４−Ｃ（２）、５０７−Ｃ、５１１−Ｃ（２）、５１１−Ｃ（３）、５１２−Ｃが、番組Ａの視聴履歴とする。
この場合視聴履歴群は、番組Ａの視聴履歴である５０４−Ｃ（１）、５０４−Ｃ（２）、５０７−Ｃ、５１１−Ｃ（２）、５１１−Ｃ（３）、５１２−Ｃに加え、四角枠５０４−Ｃ（３）、５１１−Ｃ（１）を合わせた四角枠（視聴履歴）の面積全体となる。
【００５７】
あるいは、該当する四角枠５０４−Ｃ、５０７−Ｃ、５１１−Ｃ、５１２−Ｃのうち、番組Ａの視聴履歴の部分だけを、視聴履歴群としてもよい。具体的には、５０４−Ｃ（１）、５０４−Ｃ（２）、５０７−Ｃ、５１１−Ｃ（２）、５１１−Ｃ（３）、５１２−Ｃを合わせた四角枠（視聴履歴）の面積全体を、視聴履歴群としてもよい。
【００５８】
解析部１２３は、視聴履歴群の決定に必要な条件を収集部１２２に通知することで、その通知した条件に合致した識別番号の視聴履歴のデータを収集部１２２から入手することができる。
このように解析部１２３は、収集部１２２が収集した膨大な視聴履歴に対して、一定の条件を満たす視聴履歴を抽出することで、可視化対象である視聴履歴群を決定することができる。解析部１２３は、視聴履歴群Ａを抽出する条件を任意に変えることが可能である。
【００５９】
図５Ａから図５Ｃを用いて視聴履歴を例にして視聴履歴群の説明をしたが、解析部１２３は、収集部１２２が収集した膨大な表示履歴に対して、視聴履歴群と同様に表示履歴群を決定することができる。また解析部１２３は、視聴履歴と表示履歴の両方を対象として視聴履歴群および表示履歴群の両方を決定することもできる。
【００６０】
以下種々のパラメータを用いて視聴履歴群あるいは表示履歴群を色々な観点で可視化する方法について説明する。
先に説明したように、テレビジョン受信装置１４０の高機能化に伴い、テレビジョン受信装置１４０の使い方が、放送番組の視聴や録画、録画した番組の再生だけではなく、動画配信サービスによりネットワーク１８０を介して配信される動画コンテンツを表示器１６０に表示させたり、ＶＯＤ（Video On Demand）サービスによりネットワーク１８０を介して送られてくるオンデマンドの動画コンテンツを表示器１６０に表示させたり、テレビジョン受信装置１４０の外部入力Ｉ／Ｆ１８３に接続されたレコーダ１８５、ビデオカメラ１８６、ゲーム機１８７等の周辺機器が出力するコンテンツを表示器１６０に表示させたり等、放送番組以外のコンテンツを表示器１６０に表示させる場合が多くなってきている。
【００６１】
このためテレビジョン受信装置１４０の利用状況の実態を調査するためには、視聴履歴群と表示履歴群の両方を、色々な観点で可視化することが望ましい。
そこで図６Ａ以降では、視聴履歴群および表示履歴群を色々な観点で可視化する具体例を示す。
なお、図６Ａ以降で示す図は、サービス提供部１２４が提供する、視聴履歴群あるいは表示履歴群を可視化した可視化データの一例である。これら可視化データの一例は、サービス提供部１２４が例えば内蔵する表示装置に出力して表示するためのイメージ図であったり、特定の宛先に提供し、提供先において表示可能なイメージ図であったりしてもよい。
【００６２】
図６Ａは、基準とした編成チャンネルの番組枠の時間において、視聴履歴群および表示履歴群の両方を可視化した例を示した図である。基準とした編成チャンネルを基準局と呼んでもよい。
６００は、パラメータ設定エリアである。パラメータ設定エリア６００で設定可能なパラメータは、収集部１２２が収集した膨大な視聴履歴および表示履歴の中から、解析部１２３が視聴履歴群および表示履歴群を抽出するためのパラメータや、サービス提供部１２４が抽出結果を表示するためのパラメータである。解析部１２３は、パラメータ設定エリア６００で設定されたパラメータの組み合わせである抽出条件により、収集部１２２が収集した膨大な視聴履歴や表示履歴の中から、可視化対象とする視聴履歴群や表示履歴群を抽出する。
【００６３】
例えば日付を選択することで、解析部１２３は、収集部１２２が収集した膨大な視聴履歴および表示履歴の中から、該当する日付の視聴履歴および表示履歴を抽出して、可視化対象とする視聴履歴群や表示履歴群を抽出する。
６０１は、基準局を選択するフィールドである。サービス提供部１２４は、選択された基準局の番組枠の時間に応じて、結果表示エリアに表示する表示フォーマットを決定する。基準局の番組枠の時間については、後述する。
【００６４】
６０２は、デモグラフィック（デモグラとも呼ぶ）の種類を選択するフィールドである。解析部１２３は、収集部１２２が収集した視聴履歴や表示履歴を解析して、デモグラの種類選択フィールドで選択されたデモグラの種類で絞り込むことで、可視化する対象の視聴履歴群あるいは表示履歴群を決定する。
【００６５】
６０３は、テレビジョン受信装置１４０の台数を、デモグラ別に一覧表示する集計機器数表示エリアである。
一覧に表示されているデモグラの種類は、地域全体が、収集部１２２が視聴履歴あるいは表示履歴を収集可能なテレビジョン受信装置１４０全体を示しており、家族全体が、収集部１２２が視聴履歴あるいは表示履歴を収集可能なテレビジョン受信装置１４０のうち、テレビジョン受信装置１４０の初期設定時に行うアンケートにおいて、みんなで使用する、が選択されたテレビジョン受信装置１４０を示しており、個人全体が、収集部１２２が視聴履歴あるいは表示履歴を収集可能なテレビジョン受信装置１４０のうち、テレビジョン受信装置１４０の初期設定時に行うアンケートにおいて、一人で使う／おもに一人で使う、が選択されたテレビジョン受信装置１４０を示している。
【００６６】
またデモグラの種類が個人全体の場合、年齢／性別でさらに細かくデモグラの種類が定義されており、テレビジョン受信装置１４０の初期設定時に行うアンケートにおいて、ＢＣが、年齢が０歳から１２歳が選択されたテレビジョン受信装置１４０を示しており、Ｔが、年齢が１３歳から１９歳が選択されたテレビジョン受信装置１４０を示しており、Ｍ１が、性別が男性で年齢が２０歳から３４歳が選択されたテレビジョン受信装置１４０を示しており、Ｍ２が、性別が男性で年齢が３５歳から４９歳が選択されたテレビジョン受信装置１４０を示しており、Ｍ３が、性別が男性で年齢が５０歳から６４歳が選択されたテレビジョン受信装置１４０を示しており、Ｍ４が、性別が男性で年齢が６５歳から９９歳が選択されたテレビジョン受信装置１４０を示しており、Ｆ１が、性別が女性で年齢が２０歳から３４歳が選択されたテレビジョン受信装置１４０を示しており、Ｆ２が、性別が女性で年齢が３５歳から４９歳が選択されたテレビジョン受信装置１４０を示しており、Ｆ３が、性別が女性で年齢が５０歳から６４歳が選択されたテレビジョン受信装置１４０を示しており、Ｆ４が、性別が女性で年齢が６５歳から９９歳が選択されたテレビジョン受信装置１４０を示している。
【００６７】
デモグラの種類の右側の数値は、識別管理部が管理している識別番号をもつテレビジョン受信装置１４０のうち、デモグラの種類に該当する台数を示している。
６２０は、パラメータ設定エリア６００で設定されたパラメータに基づいて抽出された視聴履歴群および表示履歴群を解析し可視化した結果を表示する結果表示エリアである。
【００６８】
結果表示エリア６２０に表示されているデータの縦軸は、時間を表しており、横軸は、視聴の形態とチャンネル名の組み合わせ、表示の形態を表している。
横軸の表示内容は、具体的には次の通りである。
〇〇総合は、チャンネル名が〇〇総合の編成チャンネルを持つ放送局が放送する番組のライブ視聴を示しており、〇〇Ｅテレは、チャンネル名が〇〇Ｅテレの編成チャンネルを持つ放送局が放送する番組のライブ視聴を示しており、×△テレビは、チャンネル名が×△テレビの編成チャンネルを持つ放送局が放送する番組のライブ視聴を示しており、Ｃ△テレビは、チャンネル名がＣ△テレビの編成チャンネルを持つ放送局が放送する番組のライブ視聴を示している。またその他の地デジは、〇〇総合、〇〇Ｅテレ、×△テレビ、Ｃ△テレビ以外のチャンネル名の編成チャンネルの番組のライブ視聴を示している。
【００６９】
また地デジ計は、地上デジタルテレビジョン放送の編成チャンネルを持つ放送局が放送する番組すべてに対するライブ視聴を示している。
またＢＳ計は、ＢＳデジタル放送の編成チャンネルを持つ放送局が放送する番組すべてに対するライブ視聴を示している。
【００７０】
またＣＳ計は、ＣＳデジタル放送の編成チャンネルを持つ放送局が放送する番組すべてに対するライブ視聴を示している。
また再生行動は、テレビジョン受信装置１４０が録画部１４３により録画した番組すべてに対する再生視聴を示している。
またＨＤＭＩは、外部入力Ｉ／Ｆ１８３の１つであるＨＤＭＩを介して外部より入力されたコンテンツの外部入力表示を示しており、ＶＯＤは、オンデマンド表示を示しており、動画ざんまいは、動画配信サービスである動画ざんまいによりネットワーク１８０を介して配信される動画コンテンツを表示器１６０に表示した動画配信表示を示している。
【００７１】
またエリア６２１のように、地デジ計やＢＳ計やＣＳ計等の合計した値である視聴の形態や表示の形態を、特定エリアにまとめて配置してもよい。ここで地デジ計は、地上デジタルテレビジョン放送の編成チャンネルを持つ放送局が放送する番組すべてに対するライブ視聴を示している。
【００７２】
結果表示エリア６２０に表示されている内容は、サービス提供部１２４により制御される。すなわちサービス提供部１２４は、基準局選択フィールド６０１で選択された基準局の番組枠の時間ごとに縦方向に分割したエリアを構成し、分割したエリアの時間ごとに、横軸に示す視聴の形態あるいは表示の形態ごとの視聴履歴の割合あるいは表示履歴の割合を数値で表示する。
【００７３】
視聴履歴の割合あるいは表示履歴の割合とは、例えば集計機器数表示エリア６０３に表示されている地域全体のテレビジョン受信装置１４０の台数に対する、該当する時間の視聴履歴を持つテレビジョン受信装置１４０の割合である。あるいは任意に規定するテレビジョン受信装置１４０の台数に対する、該当する時間の視聴履歴を持つテレビジョン受信装置１４０の割合であってもよい。視聴履歴の割合は、視聴量と呼んでもよい。同様に、表示履歴の割合を表示量と呼んでもよい。また視聴履歴の種類であるライブ視聴履歴の視聴量をライブ率、再生視聴の視聴量を再生率と呼んでもよい。
【００７４】
基準局の番組枠の時間とは、例えば図６Ａの場合は、チャンネル名がＸＸテレビの番組の放送時間を意味している。ＸＸテレビの番組の放送時間は、例えば図６Ｃに示す番組表において、６５１のエリアに示される４．ＸＸテレビの番組の、「とくだねもりもり」の番組の放送時間である８時から１０時や、「トークでしょう！」の番組の放送時間である１０時から１１時３０分というように番組ごとの放送開始から放送終了の時間を意味している。
【００７５】
このようにサービス提供部１２４は、基準局の番組枠の時間において、基準局のチャンネル以外の他のチャンネルのライブ視聴履歴や再生視聴履歴、オンデマンド表示履歴や動画ざんまいによる配信動画表示履歴や外部入力表示履歴の状況を１つの画面に表示することができる。
【００７６】
基準局をＡとすると、基準局Ａの番組枠の時間で、基準局以外のチャンネルＢの視聴履歴や表示履歴を分割した場合、分割された視聴履歴や表示履歴は、必ずしもチャンネルＢの番組枠の時間で分割されないが、基準局Ａの番組枠の時間で基準局以外のチャンネルの視聴履歴や表示履歴を分割することで、チャンネルＢの視聴が、どのような状況にあるのかを一目で確認することができる。
【００７７】
これにより本実施形態の視聴履歴分析装置のユーザは、基準局となる番組枠の時間を視点にして、テレビジョン受信装置１４０が、どのように使用されていたかを容易に把握することが可能となり、放送された番組の解析を容易に進めることができる。
図６Ａの表示の例は、結果表示エリアの表示を、番組枠の時間で縦方向に分割したエリアを構成した例であるが、それ以外の時間で分割してもよい。例えば番組枠の時間を前半と後半の２つの時間に分け、２つに分けたそれぞれの時間（時間枠と呼んでもよい）で縦方向に分割したエリアを構成してもよい。あるいは、番組枠中のコマーシャルの時間は、番組枠の時間とは別の時間枠として、分割したエリアを構成してもよい。
【００７８】
本実施形態の視聴履歴分析装置のユーザが、基準局選択フィールド６０１で新たな基準局を選択すると、結果表示エリア６２０に表示されている内容は、サービス提供部１２４の制御により新たに選択された基準局の番組枠の時間ごとに縦方向に分割したエリアを再構成し、再構成されたエリアの時間において、横軸に示す視聴履歴あるいは表示履歴ごとに視聴履歴の割合あるいは表示履歴の割合を表示しなおすことができる。
【００７９】
図６Ｂは、基準とした編成チャンネルの番組枠の時間において、視聴履歴群および表示履歴群の両方を可視化した別の例を示した図である。基準局として、チャンネル名がＣ△テレビが選択されている。
Ｃ△テレビの番組枠の時間は、例えば図６Ｃに示す番組表において、６５２のエリアに示される７．Ｃ△テレビの番組の、スイーツ天国の番組の放送時間である８時から８時４０分や、通販サプリの番組の放送時間である８時４０分から８時５０分という番組枠の時間である。
【００８０】
このように本実施形態の視聴履歴分析装置は、基準局選択フィールド６０１で新たに基準局が選択されると、サービス提供部１２４は、選択された基準局に対応して結果表示エリアに表示する表示フォーマットを変えることができる。このため本実施形態の視聴履歴分析装置のユーザは、表示フォーマットを色々と変えることで視聴履歴や表示履歴の状況を簡単に把握することが可能である。
【００８１】
図６Ｄは、結果表示エリア６２０の横に基準局の番組の内容を表示した場合の表示例を示した図である。エリア６２２が、基準局の番組の内容が表示するエリアである。結果表示エリア６２０は、選択した基準局の番組枠の時間で、基準局以外のチャンネルの番組の視聴履歴を分割して、チャンネルごとに並列して表示している。
【００８２】
このように基準局の番組の内容を表示することで、基準局のそれぞれの番組の具体的な内容に対して、他のチャンネルの番組の視聴履歴や表示履歴がどのような状況になっているか、をより簡単に比べることが可能となる。
図７は、基準局の番組枠の時間において、視聴履歴群を可視化した他の例を示した図である。基準局として、チャンネル名が××テレビが選択されている。
【００８３】
結果表示エリア６２１に表示されているデータの縦軸は、時間を表しており、横軸は、デモグラの種類を表している。
６０４は、ライブ視聴履歴を集計する範囲を選択する範囲選択フィールドである。解析部１２３は、収集部１２２が収集した視聴履歴を範囲選択フィールド６０４で選択されたライブ視聴履歴を集計する範囲によりで絞り込むことで、可視化する対象である視聴履歴群あるいは表示履歴群を抽出する。範囲選択フィールド６０４で選択できる範囲は、チャンネルごとのライブ視聴に限らず、複数のチャンネルのライブ視聴も選択することができる。
【００８４】
結果表示エリア６２１に表示されている内容は、基準局選択フィールド６０１で選択された基準局の番組枠の時間ごとに縦方向に分割されたエリアを構成し、分割されたエリアの時間ごとにおいて、範囲選択フィールド６０４で選択されたチャンネルの、横軸に示すデモグラの種類ごとの視聴履歴の割合あるいは表示履歴の割合を数値で示している。
【００８５】
このようにすることで、実際にテレビジョン受信装置１４０の使われ方を、基準局の番組枠の時間で可視化することができ、ユーザがテレビジョン受信装置１４０をどの程度視聴していたのかを簡単に把握することができる。
図８は、時間軸に対するライブ率の遷移の様子を可視化した例を示した図である。
【００８６】
結果表示エリア８２０に表示されているデータの縦軸は、ライブ率を表しており、横軸は、時間を表している。
結果表示エリア８２０に表示されている内容は、縦軸のライブ率の横軸の時間に対する遷移の様子をデモグラ別に示している。横軸の時間の単位は、１分単位でも５分単位でもよい。
【００８７】
具体的にはサービス提供部１２４は、エリア６００で設定されるパラメータの組み合わせの抽出条件で抽出された視聴履歴群に対して、デモグラ別にライブ率の時間に対する遷移の様子の表示を行う。
結果表示エリア８２０に表示されている線８２０−１は、例えば第１の条件としてデモグラ＝Ｔを満たすライブ率の時間に対する遷移の様子の示す線である。また結果表示エリア８２０に表示されている線８２０−２は、例えば第１の条件としてデモグラ＝Ｍ１を満たすライブ率の時間に対する遷移の様子の示す線である。
【００８８】
結果表示エリア８２０に表示されているライブ率の遷移の様子を示す線の１つを選択すると、サービス提供部１２４は、結果表示エリア８２０を表示した状態で、結果表示エリア８３０に示すように、さらにチャンネル別に、時間に対するライブ率の遷移の様子を表示することができる。
【００８９】
具体的にはサービス提供部１２４は、エリア６００で設定されるパラメータの組み合わせの抽出条件で抽出された視聴履歴群に対して、デモグラ別にライブ率の時間に対する遷移の様子の表示を行う。
結果表示エリア８２０に表示されている、デモグラ別のライブ率の時間に対する遷移の様子を示した線のうち、第１の条件としてデモグラ＝Ｔを満たすライブ率の時間に対する遷移の様子である線８２０−１が選択されると、結果表示エリア８２０の内容を表示した状態で新たな結果表示エリア８３０に、第１の条件であるデモグラ＝Ｔを満たす視聴履歴において、さらにチャンネル別にライブ率の時間に対する遷移として表示することができる。
【００９０】
結果表示エリア８３０には、例えば第２の条件としてチャンネル＝〇〇総合を満たすライブ率の時間に対する遷移の様子である線８３０−１を表示することができる。また結果表示エリア８３０には、例えば第２の条件としてチャンネル＝〇〇Ｅテレを満たすライブ率の時間に対する遷移の様子である線８３０−２を表示することができる。
【００９１】
サービス提供部１２４は、結果表示エリア８４０に示すように、チャンネル別の番組表を表示することもできる。結果表示エリア８４０に表示されている各エリアに、例えばマウスのポインタを位置させると、該当するエリアの番組の番組情報が表示されてもよい。
【００９２】
このようにすることで本実施形態の視聴履歴分析装置は、テレビジョン受信装置１４０の利用状況を、例えばデモグラ別に分単位の時間推移で可視化することができる。
また、デモグラ別のライブ率の遷移の様子を示す線の１つを選択すると、そのデモグラにおける視聴履歴において、さらにチャンネル別にライブ率の遷移の様子を別に表示することも可能である。
【００９３】
このように本実施形態の視聴履歴分析装置は、第１の条件を満たす視聴量の遷移の様子を表示している状態で、視聴量の遷移の様子を選択することで、その選択した視聴量の遷移を、さらに別の条件で視聴量の遷移の様子を示す線を表示する、というように視聴量の遷移の様子を可視化するための条件を段階的に設定し、その結果を並べて表示できるため、視聴量の解析を多面的に行うことが可能となる。
【００９４】
図９は、時間軸に対するライブ率の遷移する様子を可視化した他の例を示した図である。
結果表示エリア９２０に表示されているデータの縦軸は、ライブ率を表しており、横軸は時間を表している。
結果表示エリア９２０に表示されている内容は、縦軸のライブ率の横軸の時間に対する遷移の様子をチャンネル別に示している。
【００９５】
結果表示エリア９２０に表示されているライブ率の遷移の様子を示す線の１つを選択すると、サービス提供部１２４は、結果表示エリア９２０を表示した状態で、結果表示エリア９３０に示すように、さらにデモグラ別に、時間に対するライブ率の遷移の様子を表示することができる。
【００９６】
具体的にはサービス提供部１２４は、エリア６００で設定されるパラメータの組み合わせの抽出条件で抽出された視聴履歴群に対して、チャンネル別にライブ率の時間に対する遷移の様子の表示を行う。
結果表示エリア９２０に表示されている、チャンネル別のライブ率の時間に対する遷移の様子を示した線のうち、第１の条件としてチャンネル＝〇〇総合を満たすライブ率の時間に対する遷移の様子である線９２０−１が選択されると、結果表示エリア９２０の内容を表示した状態で新たな結果表示エリア９３０に、第１の条件であるチャンネル＝〇〇総合を満たす視聴履歴において、さらにデモグラ別にライブ率の時間に対する遷移として表示することができる。
【００９７】
結果表示エリア９３０には、例えば第２の条件としてデモグラ＝Ｔを満たすライブ率の時間に対する遷移の様子である線９３０−１を表示することができる。また結果表示エリア９３０には、例えば第２の条件としてデモグラ＝Ｍ１を満たすライブ率の時間に対する遷移の様子である線９３０−２を表示することができる。
【００９８】
さらに結果表示エリア９４０に示すように、チャンネル別の番組表を表示することができる。
図８、図９に示すように第１の条件、第２の条件は任意に変えることが可能である。
このように本実施形態の視聴履歴分析装置は、基準局の種類、デモグラの種類、チャンネルの種類を任意に組み合わせて、ライブ率の遷移の様子を可視化することが可能である。
【００９９】
また、日単位のライブ率の遷移の表示することも可能である。
図１０は、日単位のライブ率の遷移の様子を可視化した例を示した図である。
６０６は、基準日を選択するフィールドである。
結果表示エリア１０２０の中の表１０２０−１は、ライブ率の変化の様子を一覧にした例である。縦軸が時間帯、横軸が日単位、である。エリア１０２２が、基準日を起点に１週間前の日までのライブ率を示している。さらにエリア１０２３が、基準日を起点に前４週間分（基準日の１週間前の日、２週間前の日、３週間前の日、４週間前の日）のライブ率の平均を示している。また、エリア１０２０−２は、エリア１０２０−１を時間帯ごとにグラフ化したものである。縦軸がライブ率、横軸が基準日を起点とした前１週間分の日単位である。
【０１００】
ここで時間帯別とは、例えば１０２４で示されるように、６時から２４時の時間帯である全日、ゴールデンタイム（１９時から２２時）の時間帯であるＧＴ、プライムタイム（１９時から２３時）の時間帯であるＰＴ、ノンプライムタイム（６時から１９時と２３時から２４時）の時間帯であるＮＰ、６時から９時の時間帯である６−９、９時から１２時の時間帯である９−１２、１３時から１８時の時間帯である１３−１８、６時から１２時の時間帯である６−１２、１２時から１８時の時間帯である１２−１８、１８時から２４時の時間帯である１８−２４である。選択された時間帯に対応して、エリア１０２０−１に表示される一覧およびエリア１０２０−２に表示される折れ線グラフが表示される。図１０の例は、時間帯として全日、ＧＴ、ＰＴ、ＮＰが選択された場合の例である。
【０１０１】
また結果表示エリア１０２０に表示されている基準日の時間帯別のライブ率を、さらにチャンネル別に表示することも可能である。
結果表示エリア１０２１は、結果表示エリア１０２０に表示されている基準日の時間帯別のライブ率を、さらにチャンネル別に表示した場合の例である。
【０１０２】
このようにすることで、特定の日だけではなく、過去のライブ視聴履歴との比較を簡易に行うことが可能となり、ライブ視聴履歴の傾向を把握することができる。
本実施形態の視聴履歴分析装置は、テレビジョン受信装置１４０の利用状況の実態を調査するために、視聴履歴だけを用いていろいろな観点で可視化することも可能である。例えばライブ視聴に加え、再生視聴も取り入れることで、番組が放送された以降の視聴履歴の遷移の傾向を可視化することも可能である。
【０１０３】
図１１Ａは、選択された放送局の番組枠の時間において、視聴履歴を可視化した例を示した図である。
１１００は、パラメータ設定エリアである。パラメータ設定エリア１１００で設定可能なパラメータは、収集部１２２が収集した膨大な視聴履歴および表示履歴の中から、解析部１２３が視聴履歴群および表示履歴群を抽出するためのパラメータや、サービス提供部１２４が解析結果を表示するためのパラメータである。解析部１２３は、パラメータ設定エリア６００で設定されたパラメータの組み合わせである抽出条件により、収集部１２２が収集した膨大な視聴履歴や表示履歴の中から、可視化対象とする視聴履歴群や表示履歴群を抽出する。
【０１０４】
１１０１は、週単位の起点となる日付を選択するフィールドである。解析部１２３は、収集部１２２が収集した視聴履歴を日付選択フィールドで選択された日付を起点とした週単位で絞り込むことで、可視化する対象である視聴履歴群を抽出する。
１１０２は、チャンネル名を選択するフィールドである。解析部１２３は、収集部１２２が収集した視聴履歴をチャンネル名選択フィールドで選択されたチャンネルで絞り込むことで、可視化する対象である視聴履歴群を抽出する。
【０１０５】
１１０３は、デモグラフィック（デモグラ）の種類を選択するフィールドである。解析部１２３は、収集部１２２が収集した視聴履歴を解析して、デモグラの種類選択フィールドで選択されたデモグラの種類で絞り込むことで、可視化する対象である視聴履歴群を抽出する。
【０１０６】
１１０４は、視聴方法の種類を選択するフィールドである。解析部１２３は、収集部１２２が収集した視聴履歴を視聴方法の種類選択フィールドで選択された視聴方法の種類で絞り込むことで、可視化する対象である視聴履歴群を抽出する。
１１０５は、テレビジョン受信装置１４０の台数を、デモグラ別に表示する集計機器数表示エリアである。
【０１０７】
１１２０、１１２１は、パラメータ設定エリア１１００で設定されたパラメータに基づいて抽出された視聴履歴群を、可視化した結果を表示する結果表示エリアである。
結果表示エリア１１２０に表示されているデータの縦軸は、時間を表しており、横軸は、日付を表している。
【０１０８】
結果表示エリア１１２０に表示されている内容は、サービス提供部１２４により制御されている。すなわちサービス提供部１２４は、チャンネル選択フィールド１１０２で選択されたチャンネルの番組枠の時間ごとに縦方向に分割したエリアを構成し、分割したエリアの時間ごとに、横軸に示す日ごと（日付選択フィールド１１０１で選択した日付を起点に１週間分を表示）の視聴履歴の割合を、エリアの表示の色彩や模様を変えて表示する。エリアの表示の色彩や模様を変えて表示する以外にも、視聴履歴の割合をエリア内に数値で表示してもよい。
【０１０９】
表示結果エリア１１２０に表示されている番組枠の時間ごとのエリアを選択すると、サービス提供部１２４は、選択された番組枠の時間における視聴履歴の割合の時間軸に対する遷移の様子を結果表示エリア１１２１に示すように、表示フォーマットを変えて表示することができる。
【０１１０】
結果表示エリア１１２１に表示されている内容は、表示エリア１１２０に表示されている例えば１１２０−１で示される番組が選択された場合の、選択された番組の視聴履歴の割合の、時間軸による遷移の様子である。結果表示エリア１１２１に示す例は、遷移の様子を、ライブ率、再生率、延べ再生率、ライブ率＋再生率、に分けて表示した例である。
【０１１１】
ここで延べ再生とは、同じ番組を複数回再生視聴した場合は、その複数回の回数をカウントして視聴履歴の割合に取り入れるものである。よって、１台のテレビジョン受信装置１４０が４回同じ番組を再生視聴した場合は、延べ再生の回数は４回となる。
結果表示エリア１１２０に表示されている各番組枠の時間のエリアの選択は、複数選択することが可能である。複数選択した番組の日付が異なる場合、サービス提供部１２４は、それぞれの日付において選択された番組の視聴履歴の割合の時間軸に対する遷移の様子を、表示することができる。
【０１１２】
図１１Ａの例は、図８の例および図９の例と同様に、結果表示エリア１１２０に表示されている例えば第１の条件としてチャンネル＝××テレビの視聴量の変化の様子の一部区間であるエリア１１２０−１で示される番組枠の時間が選択されると、第１の条件であるチャンネル＝××テレビのエリア１１２０−１で示される番組枠の時間の視聴履歴において、結果表示エリア１１２１に例えば第２の条件として視聴方法＝ライブを満たすライブ率の時間に対する遷移の様子を表示することができる。
【０１１３】
また結果表示エリア１１２０、１１２１に示すように、時間軸の粒度を変えて表示することが可能である。具体的には、結果表示エリア１１２０においては、基準局の番組枠の時間単位での視聴量を変化の様子を示しているが、結果表示エリア１１２１においては、例えば分単位での視聴量の変化の様子を示している。
【０１１４】
このように本実施形態の視聴履歴分析装置は、第１の条件を満たす視聴量の遷移の様子を表示している状態で、視聴量の遷移の様子を選択することで、その選択した視聴量の遷移を、さらに別の条件で視聴量の遷移の様子を示す線を表示する、というように視聴量の遷移の様子を可視化するための条件を段階的に設定し、その結果を並べて表示できるため、視聴量の解析を多面的に行うことが可能となる。また、視聴量の時間軸に対する変化の様子を表示する際の時間単位として、１分単位、５分単位、番組枠単位と、それぞれの可視化する内容に適した時間単位を変えて表示することも可能である。
【０１１５】
図１１Ｂは、図１１Ａの例に対して、選択された放送局の番組枠の時間において、視聴履歴を可視化した別の例を示した図である。
結果表示エリア１１２０に表示されている例えば１１２０−２に示される日付が異なる番組を含む複数の番組が選択された場合、サービス提供部１２４は、選択された番組の視聴履歴の割合の時間軸に対する遷移の様子を、日付ごとに表示することができる。
【０１１６】
具体的には、５月２１日（月）の１６時から１９時の番組、５月２２日（火）の１６時から１９時の番組、５月２３日（水）の１６時から１９時の番組が選択された場合、サービス提供部１２４は、結果表示エリア１１２０には、５月２１日（月）の１６時から１９時の番組の視聴履歴の割合の時間軸による遷移の様子を１１２１−１に表示し、５月２２日（火）の１６時から１９時の番組の視聴履歴の割合の時間軸による遷移の様子を１１２１−２に表示し、５月２３日（水）の１６時から１９時の番組の視聴履歴の割合の時間軸による遷移の様子を１１２１−３に表示してもよい。
【０１１７】
このようにすることで、放送局選択フィールド１１０２で選択された放送局の番組の視聴履歴の割合を日単位で確認することができ、さらに特定の番組を選択することで、その番組の視聴履歴の割合の時間軸による遷移の様子も簡易に確認することができる。
【０１１８】
図１１Ａおよび図１１Ｂの表示の例は、放送局選択フィールド１１０２で選択された放送局の週単位の視聴履歴を可視化した例であるが、特定の日付を選択し、その選択した日付における各編成チャンネルの番組の視聴履歴を可視化してもよい。
図１１Ｃは、選択された日付における各編成チャンネルの視聴履歴を可視化した例を示したである。
【０１１９】
１１２２、１１２３は、パラメータ設定エリア１１００で設定されたパラメータに基づいて抽出された視聴履歴群を、可視化した結果を表示する結果表示エリアである。
結果表示エリア１１２２に表示されているデータの縦軸は、時間を表しており、横軸は、編成チャンネルを表している。
【０１２０】
結果表示エリア１１２２に表示されている内容は、サービス提供部１２４により制御されている。すなわちサービス提供部１２４は、基準日選択フィールド１１０６で選択された日付における、横軸に示す編成チャンネルごとの番組枠の時間ごとに縦方向に分割されたエリアを構成し、分割されたエリアの時間ごとに視聴履歴の割合を、エリアの表示の色彩や模様を変えて表示したものである。エリアの表示の色彩や模様を変えて表示する以外にも、視聴履歴の割合をエリア内に数値で表示してもよい。
【０１２１】
各番組枠の時間ごとのエリアを選択すると、サービス提供部１２４は、選択された番組枠の時間における視聴履歴の割合の時間軸に対する遷移の様子を示すように、表示フォーマットを変えて表示することができる。
結果表示エリア１１２３に表示されている内容は、表示エリア１１２２に表示されている例えば１１２２−１で示される番組が選択された場合の、選択された番組の視聴履歴の割合の、時間軸による遷移の様子である。
【０１２２】
結果表示エリア１１２２に表示されている各番組枠の時間のエリアの選択は、複数選択することが可能である。複数選択した番組の編成チャンネルが異なる場合、サービス提供部１２４は、それぞれの編成チャンネルにおいて選択された番組の視聴履歴の割合の時間軸に対する遷移の様子を、表示することができる。
【０１２３】
図１１Ｄは、図１１Ｃの例に対して、選択された放送局の番組枠の時間において、視聴履歴を可視化した別の例を示した図である。
結果表示エリア１１２２に表示されている例えば１１２３−２に示される編成チャンネルが異なる番組を含む複数の番組が選択された場合、サービス提供部１２４は、選択された番組の視聴履歴の割合の時間軸に対する遷移の様子を、編成チャンネルごとに表示することができる。
【０１２４】
具体的には、××テレビの１６時から１９時の番組、△△テレビの１６時から１９時の番組、が選択された場合、サービス提供部１２４は、結果表示エリア１１２３に××テレビの１６時から１９時の番組の視聴履歴の割合の時間軸に対する遷移の様子を１１２３−１に表示し、△△テレビの１６時から１９時の番組の視聴履歴の割合の時間軸に対する遷移の様子を１１２３−２に表示してもよい。
【０１２５】
このようにすることで、基準日選択フィールド１１０６で選択された日付のすべての編成チャンネルの視聴履歴の割合を１つの画面で確認することができ、さらに特定の番組を選択することで、その番組の視聴履歴の割合の時間軸に対する遷移の様子も簡易に確認することができる。
【０１２６】
図１１Ａに示す結果表示エリア１１２１あるいは図１１Ｃに示す結果表示エリア１１２３に表示されている視聴履歴の割合の時間軸に対する遷移の例のように、視聴履歴の割合の時間軸に対する遷移の様子が１つだけ表示されている場合は、その表示されている内容を全画面表示することも可能である。
【０１２７】
図１１Ｅは、時間軸に対する視聴履歴の割合の遷移の様子を、全画面表示した場合の表示の例を示した図である。全画面表示している範囲内での視聴履歴の割合の平均値１１２５を、結果表示エリア１１２４の右端に表示してもよい。１１２５に表示されているライブ率｜再生率は、ライブ視聴履歴の割合と再生視聴履歴の割合の合算値を示している。
【０１２８】
図１１Ａあるいは図１１Ｃの視聴履歴の割合の時間軸に対する遷移の様子は、デモグラ別に表示してもよい。
図１１Ｆは、時間軸に対する視聴履歴の遷移の様子を、デモグラ別に表示した例を示した図である。表示している範囲内での視聴履歴の割合のデモグラ別の平均値１１２７を、表示エリア１１２６の右端に表示してもよい。
【０１２９】
視聴の種類は、設定エリア１１００左の視聴方法１１２８を選択することで変更することができる。図１１Ｆの表示の例は、視聴方法としてライブ率を選択した場合の例である。
視聴の種類としてライブ率｜再生率を選択すると、ライブ視聴の場合と再生視聴の場合の各々において、視聴履歴の割合（ライブ率と再生率）の時間軸による遷移の様子を表示することができる。ライブ率同様に、再生視聴の再生視聴履歴の割合を再生率と呼んでもよい。
【０１３０】
図１１Ｇは、視聴方法としてライブ率｜再生率、を選択した場合の、時間軸に対する視聴履歴の割合の遷移の様子を表示した例を示した図である。結果表示エリア１１２８の１１２８−１にライブ率の時間軸に対する遷移の様子を示しており、１１２８−２に再生率の時間軸に対する遷移の様子を示している。
【０１３１】
このようにサービス提供部１２４は、視聴の形態であるライブ視聴と再生視聴（再生行動）の視聴量であるライブ率と再生率の時間軸に対する遷移の様子を、さらにデモグラの種類ごと分けて表示することができる。番組によっては、デモグラの種類によりライブ視聴や再生視聴の傾向が大きく異なる場合が想定される。このような番組に対して、視聴履歴分析装置のユーザは、デモグラごとのライブ率と再生率の時間軸に対する遷移の様子を一括して確認することができるため、放送された番組の解析を容易に進めることができる。
【０１３２】
図１２は、番組ごとの視聴履歴の割合のランキングを示したものである。結果表示エリア１２２０に表示する視聴履歴の種類としては、ライブ視聴履歴、再生視聴履歴、延べ再生視聴履歴、ライブ視聴履歴＋再生視聴履歴の中から選択することができる。
図１３は、検索した番組の放送回ごとの視聴量の遷移と、平均視聴量および残存率の表示の例を示した図である。
【０１３３】
ここで残留率とは、検索された番組のうち、放送日が最も早い番組の視聴量を１００とし、そのごに放送された番組の視聴量を相対値で表したものである。
１３００は、パラメータ設定エリアである。パラメータ設定エリア１３００で設定可能なパラメータは、解析部１２３が可視化する対象である視聴履歴群および表示履歴群を抽出するための文字列や値のパラメータや、サービス提供部１２４が解析結果を表示するためのパラメータである。
【０１３４】
１３０１は、検索対象の文字列を入力するフィールドである。解析部１２３は、文字列入力フィールドに文字列が入力されると、例えば入力された該当文字列を含む番組名、を持つ番組の視聴履歴を、収集部１２２に問い合わせることで取得することができる。
【０１３５】
１３２０、１３２１、１３２２は、パラメータ設定エリア６００で設定されたパラメータに基づいて抽出された視聴履歴群および表示履歴群を解析し可視化した結果を表示する結果表示エリアである。
結果表示エリア１３２０は、検索文字列入力フィールド１３０１に入力された文字列にしたがって検索した結果、該当する番組の一覧を表示する結果表示エリアである。
【０１３６】
結果表示エリア１３２１は、結果表示エリア１３２０で抽出された番組一覧に表示されている番組の、時間軸に対する視聴量の遷移を表示する結果表示エリアである。結果表示エリア１３２１に表示されている２つのグラフにおいて、縦軸は、左のグラフが視聴量、右のグラフが残留率を表しており、横軸はどちらのグラフも時間を表している。また２つのグラフの下には、横軸で表示されている時間におけるライブ率および再生率の平均値を表している。
【０１３７】
結果表示エリア１３２２は、結果表示エリア１３２０で抽出された番組一覧に表示されている番組の視聴量をデモグラ別の視聴量の一覧を表示する結果表示エリアである。結果表示エリア１３２２に表示されている２つの一覧のうち、左側の一覧はライブ率を示しており、右側の一覧は再生率を示している。
【０１３８】
このようにサービス提供部１２４は、検索条件に一致した番組を抽出できた場合は、その番組の視聴量／残留率、およびデモグラを１つの画面に表示することができる。これにより本実施形態の視聴履歴分析装置のユーザは、例えば同じ番組名の番組の放送回ごとの視聴量の遷移は平均視聴量／残留率を、容易に把握することが可能となり、放送された番組の解析を容易に進めることができる。
【０１３９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【０１４０】
また、本明細書と各図において、既出の図に関して前述したものと同一又は類似した機能を発揮する構成要素には同一の参照符号を付し、重複する詳細な説明を適宜省略することがある。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１４１】
１００・・・放送信号送信装置、１０１・・・放送局サーバ、１０２・・・第１の基本機能、１２０・・・サーバ、１２１・・・識別管理部、１２２・・・収集部、１２３・・・解析部、１２４・・・サービス提供部、１３０・・・視聴履歴装置、１４０・・・放送信号受信装置
【図１】
2020005169.tif 000003
【図２】
2020005169.tif 000004
【図３】
2020005169.tif 000005
【図４】
2020005169.tif 000006
【図５Ａ】
2020005169.tif 000007
【図５Ｂ】
2020005169.tif 000008
【図５Ｃ】
2020005169.tif 000009
【図６Ａ】
2020005169.tif 000010
【図６Ｂ】
2020005169.tif 000011
【図６Ｃ】
2020005169.tif 000012
【図６Ｄ】
2020005169.tif 000013
【図７】
2020005169.tif 000014
【図８】
2020005169.tif 000015
【図９】
2020005169.tif 000016
【図１０】
2020005169.tif 000017
【図１１Ａ】
2020005169.tif 000018
【図１１Ｂ】
2020005169.tif 000019
【図１１Ｃ】
2020005169.tif 000020
【図１１Ｄ】
2020005169.tif 000021
【図１１Ｅ】
2020005169.tif 000022
【図１１Ｆ】
2020005169.tif 000023
【図１１Ｇ】
2020005169.tif 000024
【図１２】
2020005169.tif 000025
【図１３】
2020005169.tif 000026